(57)【要約】【課題】計測すべきストラットの変位を効率的に可能にする一方で作業車両の運転中の計測システムに対する損傷を最小限に抑える、懸架ストラット計測システムおよび方法を提供すること。【解決手段】車両は、車台、車軸、懸架ストラット、およびセンサ組立体を備える。前記懸架ストラットは、下端部および上端部を有するバレル、ならびに下端部および上端部を有するロッドを備える。前記ロッド下端部は、前記バレル上端部内に摺動可能に収容される。前記バレル下端部は前記車軸に連結され、前記ロッド上端部は前記車台に連結される。センサ組立体は、前記車台と前記車軸との間の相対運動を検知するために、前記車台と前記車軸との間に連結される。【選択図】図４
2012166778.tif 000002
【特許請求の範囲】
【請求項１】
車台と、
車軸と、
下端部および上端部を有するバレル、ならびに下端部および上端部を有するロッドを備え、前記ロッド下端部が前記バレル上端部内に摺動可能に収容され、前記バレル下端部が前記車軸に連結され、前記ロッド上端部が前記車台に連結された、懸架ストラットと、
前記車台と前記バレルとの間の相対運動を検知するために前記車台と前記バレルとの間に連結されたセンサ組立体と
を備える、車両。
【請求項２】
前記センサ組立体が、前記バレルの前記上端部に連結された、請求項１に記載の車両。
【請求項３】
前記センサ組立体が、前記車台と前記車軸との間の相対運動を間接的に検知する、請求項１に記載の車両。
【請求項４】
前記センサ組立体が、前記車台内の保護領域内に配置された部分を備える、請求項１に記載の車両。
【請求項５】
前記車台によって担持された保護構造物を備え、前記センサ組立体が前記物体により物理的な損傷から少なくとも部分的に保護される、請求項１に記載の車両。
【請求項６】
前記保護構造物が、前記車両の走行方向に対して前記センサ組立体の前方に配置された板を備える、請求項５に記載の車両。
【請求項７】
車両のためのストラット変位計測システムであって、
下端部および上端部を有するバレル、ならびに下端部および上端部を有するロッドを備え、前記ロッド下端部が前記バレル上端部内に摺動可能に収容され、前記バレル下端部が前記車両の車軸に連結可能であり、前記ロッド上端部が前記車両の車台に連結可能である、懸架ストラットと、
前記車台と前記バレルとの間の相対運動を検知するために前記バレルに連結されかつ前記車両の前記車台に連結可能であるセンサ組立体と
を備える、ストラット変位計測システム。
【請求項８】
前記センサ組立体が、前記バレルの前記上端部に連結された、請求項７に記載のストラット変位計測システム。
【請求項９】
前記センサ組立体が、前記車台と前記車軸との間の相対運動を間接的に検知する、請求項７に記載のストラット変位計測システム。
【請求項１０】
車両の車台と車軸との間の相対変位計測方法であって、
下端部および上端部を有するバレル、ならびに下端部および上端部を有するロッドを備え、前記ロッド下端部が前記バレル上端部内に摺動可能に収容された、懸架ストラットを用意するステップと、
前記バレル下端部と前記車軸、および前記ロッド上端部と前記車台とを連結するステップと、
前記車台と前記バレルとの間にセンサ組立体を連結するステップと、
前記センサ組立体を使用して前記車台と前記バレルとの間の相対運動を検知するステップと
を含む、相対変位計測方法。
【請求項１１】
前記センサ組立体が、前記車台と前記車軸との間の相対運動を間接的に検知する、請求項１０に記載の相対変位計測方法。
【請求項１２】
前記車台によって担持された保護構造物を使用して、センサ組立体を物理的な損傷から少なくとも部分的に保護するステップを含む、請求項１０に記載の相対変位計測方法。
【請求項１３】
前記保護構造物が、車両の走行方向に対して前記センサ組立体の前方に配置された板を備える、請求項１２に記載の相対変位計測方法。
【発明の詳細な説明】
【技術分野】
【０００１】
本発明は、車両用の車両乗車環境システムに関し、より詳細には、ストラット変位計測システムに関する。
【背景技術】
【０００２】
建設業、林業、採鉱業、および農業用車両などの作業車両には、それが不均一なまたは荒れた地形を横断するときの縦揺れおよび振動を最小限に抑えるために、電子制御式乗車環境制御システムが使用され得る。乗車環境制御により、運転者に対する縦揺れおよび振動を改善することができ、また、車両の油圧および電子制御式の機能を運転者が手動で操作するのと同様の安全性がもたらされ得る。乗車環境制御を実行するための１つの方法は、不均一なまたは荒れた地形を車両が移動するときの、車台と車軸との間の相対変位を計測することである。これは、直接計測するか、または車台と車軸との間の各取付け位置に関連した懸架ストラットの変位を計測することによって推定することができる。
【０００３】
懸架ストラットの変位を計測するために通常使用される方法は、車軸または車軸組立体と車台枠との間にセンサを設置することである。これは通常、延長しているレバーアームを有するロータリーセンサを車台枠の近傍または車台枠上に設置し、次いでそのレバーアームを車軸組立体に連結するリンケージシステムを設けることによって達成される。車軸は、車両の最低構造部品であることが多いので、非常にぬかるんだ場所での用途では泥のなかを引きずられがちである。このことは、リンケージシステムは車軸上を流動する泥または岩屑による損傷を受けやすいということを意味する。
【０００４】
ストラット変位センサを有する車両の懸架ストラットは、車台に取り付けられたストラットバレル、および車軸組立体に取り付けられたロッド部分を有するので、この検知方法が必要とされる。バレルは固定長であり、一方、露出したロッド区間はストラット変位とともに変化するので、ストラット変位はバレル端部（または車台）とロッド端部（または車軸組立体）との間で計測される必要があり、このロッド端部は、センサの部品を岩屑が流動する範囲に押しやる。
【０００５】
Ｂｅｌｌ  Ｅｑｕｉｐｍｅｎｔ社では、車台と車軸組立体との間で計測することにより車両ストラット変位を検知する。Ｂｅｌｌ  Ｅｑｕｉｐｍｅｎｔ社の設計は、リンケージ連結部が岩屑の流動から外れるように、リンケージ連結部を車軸より高く持ち上げる頑丈なブラケットを使用することにより、センサの保護を試みている。この設計では、ブラケットは依然として損傷を受けやすい状態であり、またリンケージも依然として比較的低い位置にあるので、これらが損傷を受ける恐れが依然としてある。
【０００６】
Ｖｏｌｖｏ社は、ストラットセンサリンケージを、岩屑の流動に対してより損傷を受けやすい、車軸に向かってより低い位置に設置している。Ｖｏｌｖｏ社の設計では、リンケージを損傷から保護するために、非常に頑丈な（従ってより高価な）リンケージ構成を使用している。
【０００７】
変位センサを保護するための他の方法は、ストラット内にセンサを設置するか、または磁気センサを使用して、ストラット内のピストンの位置を計測することであろう。これらの技術は、油圧シリンダの変位を計測するために通常使用されているが、高価であり、またストラットの設計を相当複雑にするはずである。
【発明の概要】
【発明が解決しようとする課題】
【０００８】
当技術分野で必要とされているのは、計測すべきストラットの変位を効率的に可能にする一方で作業車両の運転中における計測システムに対する損傷を最小限に抑える、懸架ストラット計測システムおよび方法である。
【課題を解決するための手段】
【０００９】
本発明は、車台枠上のより高い位置でありかつ岩屑が流動する領域の外で変位検知が行われることができるように、懸架装置の再配置をする。ロッド端部を車台枠に取り付け、バレル端部を車軸組立体に取り付けることにより、懸架ストラットが反転され、それによって、より高い位置でありかつ岩屑が流動する領域の外で変位計測を行うことが可能になる。
【００１０】
固定長のバレルは、ストラットの相対運動がストラットの上端で起こるようにするので、変位センサは車台内の保護領域内に設置され、一方、リンケージシステムは短くなり、また岩屑から保護されているバレル組立体の上部に取り付けられる。
【００１１】
本発明は一形態において、車台、車軸、懸架ストラット、およびセンサ組立体を備える車両を対象とする。懸架ストラットは、下端部および上端部を有するバレル、ならびに下端部および上端部を有するロッドを備える。ロッド下端部は、バレル上端部内に摺動可能に収容される。バレル下端部は車軸に連結され、ロッド上端部は車台に連結される。センサ組立体は、車台とバレルとの間の相対運動を検知するために、車台とバレルとの間に連結される。
【００１２】
本発明は別の形態において、懸架ストラットおよびセンサ組立体を備える車両のためのストラット変位計測システムを対象とする。懸架ストラットは、下端部および上端部を有するバレル、ならびに下端部および上端部を有するロッドを備える。ロッド下端部は、バレル上端部内に摺動可能に収容される。バレル下端部は車両の車軸に連結可能であり、ロッド上端部は車両の車台に連結可能である。センサ組立体は、車台とバレルとの間の相対運動を検知するために、バレルに連結され、車両の車台に連結可能である。
【００１３】
本発明はさらに別の形態において、車両の車台と車軸との間の相対変位の計測方法を対象とする。この方法は、下端部および上端部を有するバレル、ならびに下端部および上端部を有するロッドを備え、ロッド下端部がバレル上端部内に摺動可能に収容された、懸架ストラットを用意するステップと、バレル下端部と車軸、およびロッド上端部と車台とを連結するステップと、前記車台と前記バレルとの間にセンサ組立体を連結するステップと、センサ組立体を使用して車台とバレルとの間の相対運動を検知するステップと、を含む。
【００１４】
本発明の上記その他の特徴および利点、ならびにそれらを達成する方法は、本発明の一実施形態の以下の説明を添付の図面と併せて参照することによってより明確となり、またよりよく理解されよう。
【図面の簡単な説明】
【００１５】
【図１】車台と車軸との間に相互接続された懸架ストラットを示す、車両の一部分の斜視図である。
【図２】センサ組立体が車台とストラットのバレルとの間に相互接続された、懸架ストラットの拡大斜視図である。
【図３】センサ組立体を見せるために板状の保護構造物が取り除かれた、懸架ストラットおよびセンサ組立体の別の斜視図である。
【図４】保護構造物が所定の位置にある、図３に示したものと同様の斜視図である。
【図５】懸架ストラットおよびセンサ組立体の上面斜視図である。
【発明を実施するための形態】
【００１６】
いくつかの図面を通して、対応する参照文字は対応する部分を示す。本明細書において提示された例示は、一形態における本発明の実施形態を示しており、かかる例示は如何なる場合であっても本発明の範囲を限定するものであると解釈してはならない。
【００１７】
ここで図面を参照すると、車台１２、車軸１４、およびストラット変位システム１６を一般に備える車両１０の一部分の実施形態が示されている。示された実施形態において、車両１０は連結式のダンプトラックであると考えられるが、農業用または林業用車両などの様々なタイプの作業車両も考えられる。車台１２は一般に、車両１０のための構造枠組を提供し、車体（図示せず）によって部分的または完全に覆われた、複数の相互接続された車台枠部材（個別に番号付けせず）を備える。車体は、運転室、パネル、泥よけ、等を備え得る。車軸１４は、特定の用途に応じて、動力付き車軸でも非動力付き車軸でもよく、また、前車軸でも後車軸でもよい。示された実施形態において、車軸１４は、複数輪駆動性能を有する作業車両の一部を形成している動力付きの前車軸であると考えられる。
【００１８】
ストラット変位計測システム１６は一般に、懸架ストラット１８、センサ組立体２０、および１つまたは複数の保護構造物２２を備える。懸架ストラット１８は、バレル２４、およびその中に相互に配置されたロッド２６を備える。示された実施形態において、懸架ストラット１８は、油圧駆動のストラットであると考えられるが、用途に応じて様々なタイプの流体駆動ストラットも考えられる。バレル２４は、下端部２８および上端部３０を備える。同様に、ロッド２６は、下端部３２および上端部３４を備える。ロッド２６の下端部３２は、バレル２４の上端部３０の中に摺動可能に収容される。バレル２４の下端部２８は、車軸１４に連結され、ロッド２６の上端部３４は、車台１２に連結される。
【００１９】
センサ組立体２０は、車台１２とバレル２４との間に連結され、車台１２とバレル２４との間の相対運動を検知する。より詳細には、センサ組立体２０は、バレル２４の上端部３０に連結される。バレル２４の下端部２８は、車軸１４には枢動可能に連結されるが、車軸１４の上面に対しては縦方向に固定される。したがって、センサ組立体２０を使用した車台１２とバレル２４との間の相対運動の検知を、車台１２と車軸１４との間の運動を間接的に検知することに使用することができる。
【００２０】
図２および図３を参照すると、センサ組立体２０は、枢動レバーアーム３６、および直線リンク３８を備える。レバーアーム３６は、車台１２の板４０を貫通して板４０の背後の保護領域４１まで延長している端部を有する。車両１０の運転中にロッド２６がバレル２４内で上下に摺動すると、レバーアーム３６は、バレル２４内のロッド２６の行程長に応じて揺動するかたちで上下に枢動する。レバーアーム３６の反対側または遠位端部は、リンク３８の上端部に枢動可能に連結され、リンク３８は、バレル２４の上端部２８に枢動可能に連結された下端部を有する。
【００２１】
示された実施形態において、センサ組立体２０は、枢動可能な揺動レバーアーム３６を備えるように示されているが、他のタイプのセンサ組立体も車台１２とバレル２４との間の垂直方向の変位を検知するために使用することができることを理解されたい。例えば、回転レバーアームではなく、車台１２とバレル２４との間の垂直方向の変位に対応した枢動アームの角度位置を有する片持ち梁タイプの枢動アームを、センサ組立体２０の部品として使用することも可能である。
【００２２】
１対の保護構造物２２が、車台１２によって担持されかつ車台１２から外方に延在して、車両１０の運転中に岩屑または他の物体が車軸１４の上部上を通過する際に、センサ組立体２０を物理的な損傷から少なくとも部分的に保護する。示された実施形態において、各保護構造物２２は、懸架ストラット１８と車台１２との間の領域または間隙をほぼ覆う所定の形状を有する板の形態をなしている。特定の車両および用途に応じて、板の形状が変更し得ることが理解されよう。さらに、車両１０の大抵の走行が前進方向であるので、保護構造物は、走行方向４２に対してセンサ組立体２０の前方に少なくとも配置されることが好ましい。しかし、車両１０は後退方向に移動することも可能であり、おそらくその過程で岩屑に接触するので、第２の保護構造物２２が走行方向４２に対してセンサ組立体２０の後側に配置されることがさらに好ましい。
【００２３】
運転中、車両１０が不均一なまたは荒れた地形上を走行すると、車軸１４が車台１２に対して枢動する。車軸１４が車台１２に対して枢動すると、懸架ストラット１８との連結箇所が同様に上下動し、次いでロッド２６がバレル２４から摺動して出入りする。バレル２４内のロッド２６の動きが、車台１２とバレル２４との間の垂直方向の変位（同様に車台１２と車軸１４との間の垂直方向の変位）を変化させ、このことが、板４０を貫通して延長しているレバーアーム３６の枢動方向を変化させる。レバーアーム３６の裏側は、車両１０の乗車環境制御を作用させるための制御装置に出力信号を送るのに適した、任意の電子構造物に関連付けられていてもよい。例えば、板４０を貫通して保護領域４１内に延長しているレバーアーム３６の端部は、車両１０の乗車環境制御のための制御装置に出力信号を送る、センサ組立体２０の部分を形成する電位差計または他の適切な電気部品に接続されてもよい。
【００２４】
少なくとも１つの実施形態に関して本発明を説明してきたが、本発明はこの開示の精神および範囲内においてさらに修正することができる。本出願はしたがって、その全般的な原理を使用する本発明の任意の変形形態、使用、または翻案をも含むことが意図されている。さらに、本出願は、本発明に関連する当技術分野において既知または慣習の範囲内であって添付の特許請求の範囲内である、本開示から逸脱した内容をも含むことが意図されている。
【符号の説明】
【００２５】
１０  車両
１２  車台
１４  車軸
１６  ストラット変位計測システム
１８  懸架ストラット
２０  センサ組立体
２２  保護構造物
２４  バレル
２６  ロッド
２８  下端部
３０  上端部
３２  下端部
３４  上端部
３６  枢動レバーアーム
３８  直線リンク
４０  板
４２  走行方向
【図１】
2012166778.tif 000003
【図２】
2012166778.tif 000004
【図３】
2012166778.tif 000005
【図４】
2012166778.tif 000006
【図５】
2012166778.tif 000007
【外国語明細書】
2012166778000001.pdf